(57)【要約】【課題】制御の途中であっても、ユーザが希望する設備機器の設定条件に変更できるようにする。【解決手段】デマンドレスポンス制御の途中で空調装置３の設定条件を変更する必要が生じたか否かを判定し（Ｓ１０８）、空調装置３の設定条件を変更する必要が生じたと判定された場合、空調装置３の設定条件を変更する必要が生じた旨をユーザに報知するとともに、１または複数の空調装置３の設定条件をユーザに提示する（Ｓ１２０）。そして、空調装置３の設定条件を、提示した１または複数の設備機器の設定条件の中からユーザによって選択された設定条件に再設定して設備機器をデマンドレスポンス制御する。【選択図】図６
2019105984.tif 000002
【特許請求の範囲】
【請求項１】
電力削減要求の受信に応答して設備機器（３）が所定期間内に所定の目標電力削減量を削減したときに得られるインセンティブを獲得できるよう前記設備機器を制御する機器制御装置であって、
前記電力削減要求を受信した場合、前記所定期間内に前記所定の目標電力削減量分の電力削減を達成するための前記設備機器の設定条件を特定する設定条件特定部（Ｓ１０２、Ｓ１２９、Ｓ１３３）と、
前記設定条件特定部により特定された設定条件にしたがって前記所定期間内に前記所定の目標電力削減量分の電力削減を達成するよう前記設備機器をデマンドレスポンス制御する機器制御部（Ｓ１０６）と、
前記機器制御部による前記デマンドレスポンス制御の途中で前記設備機器の設定条件を変更する必要が生じたか否かを判定する設定条件判定部（Ｓ１０８）と、
前記設定条件判定部により前記設備機器の設定条件を変更する必要が生じたと判定された場合、前記設備機器の設定条件を変更する必要が生じた旨をユーザに報知するとともに、１または複数の前記設備機器の設定条件をユーザに提示する設定条件提示部（Ｓ１２０）と、を備え、
前記機器制御部は、前記設備機器の設定条件を、前記設定条件提示部により提示された前記１または複数の前記設備機器の設定条件の中からユーザによって選択された設定条件に再設定して前記設備機器を前記デマンドレスポンス制御する機器制御装置。
【請求項２】
前記設備機器の設定条件を選択するための操作部（１１）と、前記設備機器の設定条件をユーザに報知する報知部（１２）を、を備えた請求項１に記載の機器制御装置。
【請求項３】
前記設備機器の消費電力が減少する側に前記設備機器の設定条件が変更された場合、変更された前記設備機器の設定条件で前記設備機器を前記デマンドレスポンス制御した場合に獲得できる前記インセンティブを推定するインセンティブ推定部（Ｓ１３０）と、
前記機器制御部により、前記設備機器の設定条件がユーザによって選択された設定条件に再設定される前に、前記インセンティブ推定部により推定された前記インセンティブをユーザに報知するインセンティブ報知部（Ｓ１３２）と、を備えた請求項１または２に記載の機器制御装置。
【請求項４】
前記インセンティブ推定部は、第１インセンティブ推定部であり、前記インセンティブ報知部は、第１インセンティブ報知部であり、
前記設備機器の消費電力が増加する側に前記設備機器の設定条件が変更された場合、変更された前記設備機器の設定条件で前記設備機器を前記デマンドレスポンス制御した場合に獲得できる前記インセンティブを推定する第２インセンティブ推定部（Ｓ１２６）と、
前記機器制御部により、前記設備機器の設定条件がユーザによって選択された設定条件に再設定される前に、前記第２インセンティブ推定部により推定された前記インセンティブをユーザに報知する第２インセンティブ報知部（Ｓ１２８）と、を備えた請求項３に記載の機器制御装置。
【請求項５】
前記設定条件特定部により特定された前記設備機器の設定条件を変更できないようにロックするロック機能が有効であるか否かを判定するロック有効判定部（Ｓ１１８）と、
前記ロック有効判定部によりロック機能が有効であると判定された場合、前記設備機器の設定条件の変更を禁止するとともに前記設備機器の設定条件を変更できない旨をユーザに報知する変更不可報知部（Ｓ１３６）と、を備えた請求項１ないし４のいずれか１つに記載の機器制御装置。
【請求項６】
前記機器制御部による前記デマンドレスポンス制御が終了した場合、前記デマンドレスポンス制御により削減した前記設備機器の電力削減量および獲得された前記インセンティブの少なくとも一方をユーザに報知する結果報知部（Ｓ１３８）を備えた請求項１ないし５のいずれか１つに記載の機器制御装置。
【請求項７】
前記機器制御部による前記デマンドレスポンス制御の途中で、獲得できる前記インセンティブに変更が生じたか否かを判定する変更判定部（Ｓ１１２）と、
前記変更判定部により前記機器制御部による前記デマンドレスポンス制御の途中で、獲得できる前記インセンティブに変更が生じたと判定された場合、獲得できる前記インセンティブに変更が生じた旨を報知する変更報知部（Ｓ１３４）と、を備えた請求項１ないし６のいずれか１つに記載の機器制御装置。
【請求項８】
前記設定条件提示部は、前記変更判定部により前記機器制御部による前記デマンドレスポンス制御の途中で、獲得できる前記インセンティブに変更が生じたと判定された場合、１または複数の前記設備機器の設定条件をユーザに提示する請求項７に記載の機器制御装置。
【請求項９】
前記機器制御部は、前記変更判定部により前記機器制御部による前記デマンドレスポンス制御の途中で、獲得できる前記インセンティブに変更が生じたと判定された場合、前記設備機器の設定条件を、前記設定条件提示部により提示された前記１または複数の前記設備機器の設定条件の中からユーザによって選択された設定条件に再設定して前記設備機器を前記デマンドレスポンス制御する請求項８に記載の機器制御装置。
【請求項１０】
前記設備機器は、設定された空調条件となるよう温度調整された空気を送風する空調装置であり、
ユーザの快適性の許容範囲である快適空調条件範囲を記憶する記憶部（２３）と、
前記設定条件特定部により特定された設定条件が前記記憶部に記憶された前記快適空調条件範囲内であるか否かを判定する快適判定部（Ｓ１０３）と、
前記快適判定部の判定結果をユーザに報知する快適報知部（Ｓ１０４）と、を備えた請求項１ないし９のいずれか１つに記載の機器制御装置。
【発明の詳細な説明】
【技術分野】
【０００１】
本発明は、設備機器を制御する機器制御装置に関するものである。
【背景技術】
【０００２】
近年、電気料金の設定またはインセンティブの支払いに応じてユーザ（需要家）が電力の使用を抑制するように電力消費パターンを変化させるデマンドレスポンスに関する開発が進められている。ＤＲは、電気料金型デマンドレスポンスとインセンティブ型デマンドレスポンスに分けられる。電気料金型デマンドレスポンスは、電力需要のピーク時に電気料金を値上げするなど多様な電気料金を設定することで、ユーザに電力消費の抑制を促す仕組みである。インセンティブ型デマンドレスポンスは、電力会社とユーザとの間で予め電力需要のピーク時などに節電する契約を結んだ上で、電力会社からの依頼に応じてユーザが節電した場合に電力会社がインセンティブ（対価）を支払うことで、ユーザに電力消費の抑制を促す仕組みである。
【０００３】
インセンティブ型デマンドレスポンスに対応する装置として、特許文献１に記載されたものがある。この装置は、インセンティブ単価等のインセンティブの導出要素に変動が生じた場合でも、使用者が期待するインセンティブを得られるように、設備機器の制御条件を変更し、この制御条件で設備機器を制御するようにしている。
【先行技術文献】
【特許文献】
【０００４】
【特許文献１】特開２０１６−２０７０３４号公報
【発明の概要】
【発明が解決しようとする課題】
【０００５】
このような装置では、インセンティブを得るための制御が行われている途中で、快適性を得るために設備機器の制御条件を変更したくなる場合がある。
【０００６】
例えば、インセンティブを得るために設備機器として空調機の制御が行われている途中でも、急な来客等によって、夏場に空調機の設定温度を下げて快適性を確保したい場合や、冬場に空調機の設定温度を上げて快適性を確保したい場合がある。
【０００７】
しかしながら、上記特許文献１に記載された装置は、インセンティブを得るための制御を実施する前に設備機器の制御条件を設定した後、この制御条件を維持した状態でインセンティブを得るための制御を実施するようになっている。
【０００８】
すなわち、上記特許文献１に記載された装置は、インセンティブを得るための制御が行われている途中で、設備機器の制御条件をユーザが希望する条件に変更することまで考慮されていない。このため、ユーザに快適なサービスを提供することができないという問題があった。
【０００９】
本発明は上記問題に鑑みたもので、制御の途中であっても、ユーザが希望する設備機器の設定条件に変更できるようにすることを目的とする。
【課題を解決するための手段】
【００１０】
上記目的を達成するため、請求項１に記載の発明は、電力削減要求の受信に応答して設備機器（３）が所定期間内に所定の目標電力削減量を削減したときに得られるインセンティブを獲得できるよう設備機器を制御する機器制御装置であって、電力削減要求を受信した場合、所定期間内に所定の目標電力削減量分の電力削減を達成するための設備機器の設定条件を特定する設定条件特定部（Ｓ１０２、Ｓ１２９、Ｓ１３３）と、設定条件特定部により特定された設定条件にしたがって所定期間内に所定の目標電力削減量分の電力削減を達成するよう設備機器をデマンドレスポンス制御する機器制御部（Ｓ１０６）と、機器制御部によるデマンドレスポンス制御の途中で設備機器の設定条件を変更する必要が生じたか否かを判定する設定条件判定部（Ｓ１０８）と、設定条件判定部により設備機器の設定条件を変更する必要が生じたと判定された場合、設備機器の設定条件を変更する必要が生じた旨をユーザに報知するとともに、１または複数の設備機器の設定条件をユーザに提示する設定条件提示部（Ｓ１２０）と、を備え、機器制御部は、設備機器の設定条件を、設定条件提示部により提示された１または複数の設備機器の設定条件の中からユーザによって選択された設定条件に再設定して設備機器をデマンドレスポンス制御する。
【００１１】
このような構成によれば、設定条件提示部は、設定条件判定部により設備機器の設定条件を変更する必要が生じたと判定された場合、設備機器の設定条件を変更する必要が生じた旨をユーザに報知するとともに、１または複数の設備機器の設定条件をユーザに提示し、機器制御部は、設備機器の設定条件を、設定条件提示部により提示された１または複数の設備機器の設定条件の中からユーザによって選択された設定条件に再設定して設備機器をデマンドレスポンス制御するので、制御の途中であっても、ユーザが希望する設備機器の設定条件に変更することができる。
【００１２】
なお、この欄および特許請求の範囲で記載した各手段の括弧内の符号は、後述する実施形態に記載の具体的手段との対応関係を示すものである。
【図面の簡単な説明】
【００１３】
【図１】第１実施形態の機器制御装置を用いた屋内空調システムの全体構成図である。
【図２】機器制御装置のブロック図である。
【図３】冷房時におけるデマンドレスポンス制御のスケジュールの一例を示した図である。
【図４】暖房時におけるデマンドレスポンス制御のスケジュールの一例を示した図である。
【図５】冷房時におけるデマンドレスポンス制御のスケジュールの一例を示した図である。
【図６】第１実施形態の機器制御装置の制御部のフローチャートである。
【図７】表示画面の表示例を表した図である。
【図８】第２実施形態の機器制御装置の制御部のフローチャートである。
【発明を実施するための形態】
【００１４】
以下、本発明の実施形態について図に基づいて説明する。なお、以下の各実施形態相互において、互いに同一もしくは均等である部分には、図中、同一符号を付してある。
【００１５】
（第１実施形態）
第１実施形態に係る機器制御装置１の全体構成について図１を用いて説明する。機器制御装置１は、建物の全体の空調を行う全館空調装置３の制御を行うものである。図１は、機器制御装置１および空調装置３が２階建ての戸建て住宅に設置された様子を表している。
【００１６】
空調装置３は、室内に設置される室内機３１および室外に設置される室外機３２を備えている。室内機３１と室外機３２の間は、冷媒が流れる冷媒配管３３を介して接続されている。室内機３１は、冷媒と空気との熱交換により温度調整された空気をダクト３４を介してリビング、和室、寝室、子供部屋等の各部屋に送風する。
【００１７】
室内機３１は、冷媒と室内空気とを熱交換させて、室内の空気の温度を変化させる室内熱交換器と、この室内熱交換器を通過する気流を発生させるとともに内熱交換器にて温度調整された空調風をダクト３４を介して各部屋に送風する室内送風機（いずれも図示せず）と、を有している。
【００１８】
室外機３２は、冷媒を圧縮して吐出する圧縮機と、圧縮機から吐出された高温の冷媒と室外の空気とを熱交換させる室外熱交換器と、空調用減圧機器（いずれも図示せず）と、を備えている。空調用減圧機器は、室内熱交換器および室外熱交換器のうち、一方の熱交換器から流出した冷媒を所定の圧力まで減圧して他方の熱交換器に流出させる。
【００１９】
本実施形態の機器制御装置１および空調装置３が設置されている建物は、電力会社等の電力供給会社との間で、電力供給会社からの電力削減要求に応じて節電した際に、ユーザ（需要家）が電力供給会社からインセンティブを得られるインセンティブ型デマンドレスポンス(ＤＲ)契約がなされている。なお、電力削減要求には、時間帯と目標電力削減量が含まれる。ユーザは、電力削減要求に含まれる所定の時間帯に目標電力削減量の電力を削減すると、電力供給会社からインセンティブとして所定の対価を得ることができるようになっている。
【００２０】
次に、機器制御装置１の構成について説明する。図２に示すように、機器制御装置１は、制御装置２０およびリモコン１０を備えている。制御装置２０とリモコン１０は、離れた場所に配置されている。制御装置２０は、リモコン１０との間で通信することが可能となっている。
【００２１】
制御装置２０は、ネットワーク網を介して外部機器と通信するための通信部２１、各種演算を行う演算部２２および各種データを記憶する記憶部２３を有している。
【００２２】
制御装置２０は、通信部２１を介してネットワーク網に接続することで、電力会社等の電力供給会社のサーバ等と通信を行うことが可能となっている。演算部２２は、ＣＰＵにより構成されており、記憶部２３に記憶されたプログラムに従って各種演算処理を実行する。記憶部２３は、ＲＯＭ、ＲＡＭ、フラッシュメモリ等により構成されている。
【００２３】
リモコン１０は、操作部１１および報知部１２を有している。操作部１１は、各種メカニカルスイッチ、タッチスイッチ等のスイッチにより構成され、ユーザのスイッチに対する操作に応じた信号を出力する。報知部１２は、液晶ディスプレイ等の表示部と、音声信号に応じた音を出力するスピーカと、を有している。
【００２４】
機器制御装置１の制御装置２０は、電力会社等の電力供給会社から電力削減要求を受信すると、設備機器としての空調装置３が所定期間内に所定の目標電力削減量を削減したときに得られるインセンティブを獲得できるよう空調装置３を制御する。
【００２５】
具体的には、制御装置２０は、電力削減要求を受信した場合、所定期間内に所定の目標電力削減量分の電力削減を達成するための空調装置３の制御スケジュールを作成し、この制御スケジュールに従って空調装置３をデマンドレスポンス制御する。なお、空調装置３は、機器制御装置１の制御装置２０からの制御信号に応じて設定温度、設定湿度、送風風量等を変更することが可能となっている。
【００２６】
ここでは、空調装置３の設定湿度および送風風量を一定とし、設定温度を変更することにより空調装置３の消費電力を調整する例を示すが、空調装置３の設定湿度や送風風量を制御して空調装置３の消費電力を調整することもできる。
【００２７】
図３は、冷房運転時に、１３時００分〜１６時００分までの時間帯で、３キロワット時（ｋＷｈ）の電力削減要求を受信した際のデマンドレスポンス制御のスケジュールの一例を示した図である。左軸は、図中実線で示されている空調装置３の設定温度である。右軸は、図中一点鎖線で示されている目標削減量と点線で示されている予測削減量となっている。
【００２８】
デマンドレスポンス制御前の空調装置３の設定温度は２６℃となっている。図３は、１３時００分〜１６時００分までの時間帯で、空調装置３の設定温度を２８℃に変更することによりどの程度の電力削減効果が得られるかを予測した結果を表している。ここでは、１３時００分〜１６時００分までの時間帯で、３キロワット時（ｋＷｈ）の電力が削減されることが示されている。
【００２９】
図４は、暖房運転時に、６時００分〜８時００分までの時間帯と、１７時００分〜１９時００分までの時間帯で、合計４キロワット時（ｋＷｈ）の電力削減要求を受信した際のデマンドレスポンス制御のスケジュールの一例を示した図である。
【００３０】
デマンドレスポンス制御期間外の空調装置３の設定温度は２４℃となっている。６時００分〜８時００分までの時間帯で、空調装置３の設定温度を２１℃に変更するとともに、１７時００分〜１９時００分までの時間帯で、空調装置３の設定温度を２０℃に変更することにより、どの程度の電力削減効果が得られるかを予測した結果を表している。
【００３１】
６時００分〜８時００分までの時間帯で、空調装置３の設定温度を２１℃に変更することにより、２キロワット時（ｋＷｈ）の電力が削減されることが示されている。さらに、１７時００分〜１９時００分までの時間帯で、空調装置３の設定温度を２０℃に変更することにより２キロワット時（ｋＷｈ）の電力が削減されることが示されている。
【００３２】
すなわち、６時００分〜８時００分までの時間帯と、１７時００分〜１９時００分までの時間帯で、合計４キロワット時（ｋＷｈ）の電力が削減されることが示されている。
【００３３】
図５は、冷房運転時に、１３時００分〜１６時００分までの時間帯で、３キロワット時（ｋＷｈ）の電力削減要求を受信した際のデマンドレスポンス制御のスケジュールの一例を示した図である。
【００３４】
デマンドレスポンス制御前の空調装置３の設定温度は２６℃となっている。１３時００分〜１４時００分までの時間帯で、空調装置３の設定温度を２８℃に変更したことにより、どの程度の電力削減効果が得られるかを予測した結果を表している。
【００３５】
ここで、空調装置３の電力削減量を再計算した結果、目標電力削減量を達成するために空調装置３の設定温度を２９℃にする必要が生じ、１４時００分〜１５時００分までの時間帯で、空調装置３の設定温度を２９℃に変更することによりどの程度の電力削減効果が得られるかを予測した結果を表している。
【００３６】
さらに、空調装置３の電力削減量を再計算した結果、目標電力削減量を達成するために空調装置３の設定温度を３０℃にする必要が生じ、１５時００分〜１６時００分までの時間帯で、空調装置３の設定温度を３０℃に変更することによりどの程度の電力削減効果が得られるかを予測した結果を表している。
【００３７】
デマンドレスポンス制御期間外の空調装置３の設定温度は２６℃となっている。１３時００分〜１４時００分までの時間帯で、空調装置３の設定温度を２８℃に変更することにより１キロワット時（ｋＷｈ）の電力が削減されることが示されている。
【００３８】
また、１４時００分〜１５時００分までの時間帯で、空調装置３の設定温度を２９℃に変更することにより１キロワット時（ｋＷｈ）の電力が削減されることが示されている。
【００３９】
また、１５時００分〜１６時００分までの時間帯で、空調装置３の設定温度を３０℃に変更することにより１キロワット時（ｋＷｈ）の電力が削減されることが示されている。
【００４０】
したがって、１３時００分〜１６時００分までの時間帯で、３キロワット時（ｋＷｈ）の電力を削減することが可能であることが分かる。
【００４１】
図６は、制御装置２０のフローチャートである。次に、制御装置２０の処理について図６を参照して説明する。ここでは、空調装置３が冷房運転を実施しているものとして説明する。制御装置２０は、周期的に図６に示す処理を実施する。
【００４２】
まず、制御装置２０は、Ｓ１００にて電力供給会社等から送信される電力削減要求を受信したか否かを判定する。なお、電力削減要求には、デマンドレスポンス制御する時間帯と目標電力削減量が含まれる。
【００４３】
ここで、電力削減要求を受信した場合、制御装置２０は、Ｓ１０２にて目標電力削減量分の電力削減を達成するための空調装置３の設定条件を特定する。ここでは、目標電力削減量分の電力削減を達成するための空調装置３の設定温度のスケジュールを作成する。なお、電力削減量は、例えば、過去の空調装置３の設定温度と消費電力の関係に基づいて特定することができる。
【００４４】
次に、制御装置２０は、Ｓ１０４において、Ｓ１０２にて特定された空調装置３の設定条件とスケジュールをユーザに報知する。例えば、制御装置２０は、図３に示したような空調装置３の設定温度のスケジュールとともにインセンティブを獲得可能である旨をリモコン１０の表示部に表示させるとともにリモコン１０のスピーカから報知音を発出させる。
【００４５】
次に、制御装置２０は、デマンドレスポンス制御する時間帯になると、Ｓ１０６にて、デマンドレスポンス制御を実施する。具体的には、Ｓ１０２にて作成したスケジュールに従った空調装置３の設定温度の制御を開始する。
【００４６】
次に、制御装置２０は、Ｓ１０８にて、設定条件を変更する必要があるか否かを判定する。ここで、例えば、空調空間への外気の流入など、何らかの外乱により、インセンティブを獲得できない可能性が大きくなった場合には、設定条件を変更する必要があると判定する。また、急な来客等によって、ユーザが空調装置３の設定温度を変更しようと操作部１１を操作した場合にも、空調装置３の設定条件を変更する必要があると判定する。
【００４７】
ここで、制御装置２０は、空調装置３の設定条件を変更する必要がないと判定した場合、Ｓ１１０にて、デマンドレスポンス制御した場合に獲得できるインセンティブを推定する。具体的には、電力供給会社等との間で結んだ契約の内容に従って、インセンティブを推定する。例えば、電力削減要求を満たした場合に、一定料金のインセンティブが支払われる契約となっている場合には、電力削減要求を満たした場合のインセンティブを一定料金として推定し、電力削減要求を満たさない場合のインセンティブを０円として推定する。また、削減した電力量と単位電力量当たりのインセンティブ単価との積によりインセンティブを算出する契約となっている場合には、削減した電力量に単位電力量当たりの単価を乗算してインセンティブを推定する。
【００４８】
次に、制御装置２０は、Ｓ１１２にて、インセンティブに変更があったか否かを判定する。具体的には、以前に推定したインセンティブと現在、推定したインセンティブを比較してインセンティブに変更があったか否かを判定する。ここでは、初めてインセンティブを推定しているので、インセンティブに変更がないものとする。
【００４９】
この場合、制御装置２０は、Ｓ１１３にて、インセンティブをユーザに報知する。具体的には、Ｓ１１０にて推定したインセンティブをリモコン１０の表示部に表示させるとともにリモコン１０のスピーカから報知音を発出させる。
【００５０】
次に、制御装置２０は、Ｓ１１４にて、現在時刻がデマンドレスポンス制御の終了時刻になったか否かを判定する。ここで、現在時刻がデマンドレスポンス制御の終了時刻になっていない場合、制御装置２０は、Ｓ１１６にて、一定時間が経過したか否かを判定する。
【００５１】
ここで、一定時間が経過してない場合、制御装置２０は、Ｓ１１６の判定を繰り返し実施する。また、一定時間が経過すると、制御装置２０は、Ｓ１０２の処理を実施する。
【００５２】
また、制御装置２０は、Ｓ１０８にて、設定条件を変更する必要があると判定すると、Ｓ１１８にて、空調装置３の設定条件を変更できないようにロックするロック機能が有効であるか否かを判定する。ロック機能の有効または無効の設定は、ユーザがリモコン１０の操作部１１を操作することにより行われる。なお、ロック機能の有効または無効の設定は、記憶部２３に記憶されている。
【００５３】
ここで、ロック機能が有効になっている場合、制御装置２０は、Ｓ１３６にて、空調装置３の設定条件の変更を禁止するとともに空調装置３の設定条件を変更できない旨をユーザに報知し、Ｓ１１４へ進む。
【００５４】
また、ロック機能が無効になっている場合、制御装置２０は、Ｓ１２０にて、空調装置３の設定条件を変更する必要が生じた旨をユーザに報知するとともに、１または複数の空調装置３の設定条件をユーザに提示する。
【００５５】
図７は、設定条件を提示している画面の表示例である。この画面には、日付、時刻、室温：２９℃、湿度：５０％、現在の設定温度：２９℃、ユーザ設定値：２７℃、「スケジュールアイコン」、「今日の目標削減電力量：３ｋＷｈ」、「現在の削減電力量：１．５ｋＷｈ」、「目標削減量達成のため設定温度を３０℃に変更しますか？」といったメッセージとともに「はい」、「いいえ」を表すアイコンが表示されている。なお、ユーザがリモコン１０の操作部１１を操作してスケジュールアイコンを選択すると、デマンドレスポンス制御のスケジュールが表示される。
【００５６】
この画面では、空調装置３の設定温度を３０℃に上げるか、あるいは２９℃の設定温度を維持するかを提示している。
【００５７】
次に、制御装置２０は、Ｓ１２２にて、空調装置３の設定条件の入力を受け付け、Ｓ１２４にて、空調装置３の設定条件が空調装置３のの能力過多側に変更となったか否かを判定する。
【００５８】
例えば、ユーザがリモコン１０の操作部１１を操作して「はい」を表すアイコンを選択すると、Ｓ１２２にてＮＯと判定され、制御装置２０は、Ｓ１３０にてインセンティブを推定する。具体的には、現在時刻までの電力削減量に、変更後の空調装置３の設定温度で残りの時間帯にデマンドレスポンス制御を実施することにより削減される電力削減量を加算して全体の電力削減量を算出し、この全体の電力削減量に対するインセンティブを推定する。
【００５９】
次に、制御装置２０は、Ｓ１３２にて、空調装置３の設定条件とインセンティブを報知する。具体的には、変更する予定の空調装置３の設定温度と、Ｓ１３０にて推定したインセンティブと、をリモコン１０の表示部に表示させるとともにリモコン１０のスピーカから報知音を発出させる。
【００６０】
次に、制御装置２０は、Ｓ１３３にて、空調装置３の設定条件を再設定（変更）し、Ｓ１１４へ進む。
【００６１】
また、例えば、図７に示した表示に従ってユーザがリモコン１０の操作部１１を操作して「いいえ」を表すアイコンを選択すると、Ｓ１２４にてＮＯと判定され、制御装置２０は、Ｓ１２６にてインセンティブを推定する。また、例えば、急な来客により、ユーザがリモコン１０の操作部１１を操作して空調装置３の設定温度を２４℃に変更した場合にも、Ｓ１２４にてＮＯと判定され、制御装置２０は、Ｓ１２６にてインセンティブを推定する。具体的には、現在時刻までの電力削減量に、変更後の空調装置３の設定温度で残りの時間帯にデマンドレスポンス制御を実施することにより削減される電力削減量を加算して全体の電力削減量を算出し、この全体の電力削減量に対するインセンティブを推定する。
【００６２】
次に、制御装置２０は、Ｓ１２８にて、空調装置３の設定条件とインセンティブを報知する。具体的には、変更する予定の空調装置３の設定温度と、Ｓ１３０にて推定したインセンティブと、をリモコン１０の表示部に表示させるとともにリモコン１０のスピーカから報知音を発出させる。なお、全体の電力削減量が電力削減要求に含まれる目標電力削減量未満となった場合には、目標達成が付加となる可能性がある旨についても報知する。
【００６３】
次に、制御装置２０は、Ｓ１２９にて、空調装置３の設定条件を再設定（変更）し、Ｓ１１４へ進む。
【００６４】
また、制御装置２０は、Ｓ１１４の判定にて、現在時刻がデマンドレスポンス制御の終了時刻になると、Ｓ１１４ＹＥＳとなり、制御装置２０は、Ｓ１３８にて、デマンドレスポンス制御により削減した空調装置３の電力削減量とインセンティブをリモコン１０の表示部に表示させるとともにリモコン１０のスピーカから報知音を発出させ、本処理を終了する。
【００６５】
以上、説明したように、機器制御装置１は、電力削減要求の受信に応答して設備機器３が所定期間内に所定の目標電力削減量を削減したときに得られるインセンティブを獲得できるよう設備機器を制御する。また、電力削減要求を受信した場合、所定期間内に所定の目標電力削減量分の電力削減を達成するための設備機器の設定条件を特定する。また、特定した設定条件にしたがって所定期間内に所定の目標電力削減量分の電力削減を達成するよう設備機器をデマンドレスポンス制御する。また、デマンドレスポンス制御の途中で設備機器の設定条件を変更する必要が生じたか否かを判定し、設備機器の設定条件を変更する必要が生じたと判定された場合、設備機器の設定条件を変更する必要が生じた旨をユーザに報知する。また、１または複数の設備機器の設定条件をユーザに提示する。そして、設備機器の設定条件を、設定条件提示部により提示された１または複数の設備機器の設定条件の中からユーザによって選択された設定条件に再設定して設備機器をデマンドレスポンス制御する。
【００６６】
このような構成によれば、設定条件提示部は、設定条件判定部により設備機器の設定条件を変更する必要が生じたと判定された場合、１または複数の設備機器の設定条件をユーザに提示する。そして、機器制御部は、設備機器の設定条件を、設定条件提示部により提示された１または複数の設備機器の設定条件の中からユーザによって選択された設定条件に再設定して設備機器をデマンドレスポンス制御する。したがって、制御の途中であっても、ユーザが希望する設備機器の設定条件に変更することができる。
【００６７】
また、機器制御装置１は、設備機器の設定条件を選択するための操作部１１と、設備機器の設定条件をユーザに報知する報知部１２を、を備えている。
【００６８】
したがって、ユーザは操作部を操作して設備機器の設定条件の変更を行うことができるとともに報知部により設備機器の設定条件を認識することができる。
【００６９】
また、機器制御装置１は、設備機器の消費電力が減少する側に設備機器の設定条件が変更された場合、変更された設定条件で設備機器をデマンドレスポンス制御した場合に獲得できるインセンティブを推定する。さらに、設備機器の設定条件がユーザによって選択された設定条件に再設定される前に、インセンティブ推定部により推定されたインセンティブをユーザに報知する。
【００７０】
したがって、設備機器の消費電力が減少する側に設備機器の設定条件が変更された場合、設備機器の設定条件がユーザによって選択された設定条件に再設定される前に、ユーザはインセンティブ推定部により推定されたインセンティブを認識することができる。
【００７１】
また、機器制御装置１は、設備機器の消費電力が増加する側に設備機器の設定条件が変更された場合、変更された設定条件で設備機器をデマンドレスポンス制御した場合に獲得できるインセンティブを推定する。また、機器制御部により、設備機器の設定条件がユーザによって選択された設定条件に再設定される前に、第２インセンティブ推定部により推定されたインセンティブをユーザに報知する。
【００７２】
したがって、設備機器の消費電力が増加する側に設備機器の設定条件が変更された場合、設備機器の設定条件がユーザによって選択された設定条件に再設定される前に、ユーザはインセンティブ推定部により推定されたインセンティブを認識することができる。
【００７３】
また、機器制御装置１は、設定条件特定部により特定された設備機器の設定条件を変更できないようにロックするロック機能が有効であるか否かを判定する。また、ロック有効判定部によりロック機能が有効であると判定された場合、設備機器の設定条件の変更を禁止するとともに設備機器の設定条件を変更できない旨をユーザに報知する。
【００７４】
したがって、ロック機能を有効設定にすることで、設備機器の設定条件の変更を禁止することができ、さらに、ユーザはロック機能により設備機器の設定条件を変更できない旨を認識することができる。
【００７５】
また、機器制御装置１は、機器制御部によるデマンドレスポンス制御が終了した場合、デマンドレスポンス制御により削減した設備機器の電力削減量および獲得されたインセンティブの少なくとも一方をユーザに報知する。
【００７６】
したがって、機器制御部によるデマンドレスポンス制御が終了した場合、ユーザは、デマンドレスポンス制御により削減した設備機器の電力削減量および獲得されたインセンティブの少なくとも一方を認識することができる。
【００７７】
また、機器制御装置１は、機器制御部によるデマンドレスポンス制御の途中で、獲得できるインセンティブに変更が生じたか否かを判定する。また、機器制御部によるデマンドレスポンス制御の途中で、獲得できるインセンティブに変更が生じたと判定された場合、獲得できるインセンティブに変更が生じた旨を報知する。
【００７８】
したがって、機器制御部によるデマンドレスポンス制御の途中で、獲得できるインセンティブに変更が生じた場合、ユーザは、獲得できるインセンティブに変更が生じた旨を認識することができる。
【００７９】
また、設定条件提示部は、変更判定部により機器制御部によるデマンドレスポンス制御の途中で、獲得できるインセンティブに変更が生じたと判定された場合、１または複数の設備機器の設定条件をユーザに提示する。
【００８０】
したがって、機器制御部によるデマンドレスポンス制御の途中で、獲得できるインセンティブに変更が生じた場合、ユーザは１または複数の設備機器の設定条件の中から希望する設定条件を選択することができる。
【００８１】
また、機器制御部は、変更判定部により機器制御部によるデマンドレスポンス制御の途中で、獲得できるインセンティブに変更が生じたと判定された場合、空調装置の設定条件を、設定条件提示部により提示された１または複数の空調装置の設定条件の中からユーザによって選択された設定条件に再設定して空調装置をデマンドレスポンス制御する。
【００８２】
したがって、機器制御部によるデマンドレスポンス制御の途中で、獲得できるインセンティブに変更が生じた場合、空調装置の設定条件を、設定条件提示部により提示された１または複数の空調装置の設定条件の中からユーザによって選択された設定条件に再設定して空調装置をデマンドレスポンス制御することができる。
【００８３】
（第２実施形態）
第２実施形態に係る機器制御装置１の構成は、上記第１実施形態と同じである。本実施形態の機器制御装置１は、ユーザの快適性の許容範囲である快適空調条件範囲が予め記憶部２３に記憶されている。なお、この快適空調条件範囲は、ユーザ操作に応じて変更することが可能となっている。また、本実施形態の機器制御装置１は、上記第１実施形態と比較してフローチャートのＳ１０３〜Ｓ１０５の処理が異なる。
【００８４】
本実施形態の制御装置２０は、Ｓ１０２にて、目標電力削減量分の電力削減を達成するための空調装置３の設定温度のスケジュールを作成した後、Ｓ１０３において、Ｓ１０２にて特定された設定条件が記憶部２３に記憶された快適空調条件範囲内であるか否かを判定する。
【００８５】
ここで、Ｓ１０２にて特定された設定条件が記憶部２３に記憶された快適空調条件範囲内である場合には、Ｓ１０４にて、図３に示したような空調装置３の設定温度のスケジュールと、インセンティブを獲得可能である旨とともにＳ１０３の判定結果をユーザに報知する。また、設定条件が快適空調条件範囲内に設定されている旨をリモコン１０の表示部に表示させるとともにリモコン１０のスピーカから報知音を発出させる。
【００８６】
また、Ｓ１０２にて特定された設定条件が記憶部２３に記憶された快適空調条件範囲外である場合には、Ｓ１０５にて、図３に示したような空調装置３の設定温度のスケジュールと、インセンティブを獲得可能である旨とともにＳ１０３の判定結果をユーザに報知する。また、設定条件が快適空調条件範囲外に設定されている旨をリモコン１０の表示部に表示させるとともにリモコン１０のスピーカから報知音を発出させる。
【００８７】
本実施形態では、上記第１実施形態と共通の構成から奏される同様の効果を上記第１実施形態と同様に得ることができる。
【００８８】
また、本実施形態の機器制御装置は、ユーザの快適性の許容範囲である快適空調条件範囲を記憶する記憶部２３を備えている。また、設定条件特定部により特定された設定条件が記憶部に記憶された快適空調条件範囲内であるか否かを判定し、その判定結果をユーザに報知する。
【００８９】
したがって、ユーザは、特定された設定条件が快適空調条件範囲内であるか否かを容易に認識することができる。
【００９０】
（他の実施形態）
（１）上記各実施形態では、削減した電力量が目標電力削減量に達した場合、予め定められた所定の対価を得ることができるようにした。これに対し、例えば、削減した電力量が目標電力削減量を上回った場合には、所定対価に上乗せした額を受け取ることができるようにしてもよい。
【００９１】
（２）上記各実施形態では、制御装置２０とリモコン１０が離れた場所に配置されるよう構成したが、制御装置２０とリモコン１０を一体出構成することもできる。
【００９２】
（３）上記各実施形態では、図６にて、空調装置３が冷房運転を実施している場合のデマンドレスポンス制御を示したが、空調装置３が暖房運転、除湿運転等、冷房運転以外の運転を実施している場合に適用することもできる。
【００９３】
（４）上記各実施形態では、図６にて、電力削減要求の受信に応じて１回分のデマンドレスポンス制御を実施する制御を示したが、図４に示したように、１または複数の電力削減要求の受信に応じて複数回分のデマンドレスポンス制御を実施する制御を実施することもできる。
【００９４】
（５）上記各実施形態では、機器制御装置が、設備機器として空調装置３の制御を実施する例を示したが、空調装置３以外の機器、例えば、照明器具の明るさ、テレビのオンオフ等を調整することにより、デマンドレスポンス制御を実施することもできる。この場合、照明器具、テレビ等の設備機器毎に、設備機器の設定条件を設定する表示を表示部に表意させ、設備機器毎に設備機器の設定の変更を受け付けるよう構成することができる。
【００９５】
（６）上記各実施形態では、設備機器の設定条件として空調装置３の設定温度を変更する例を示したが、人の存在の有無を検出し、人の存在が検出された空間の空調制御を実施して、人の存在が検出されない空間の空調制御を停止するようにするようにデマンドレスポンス制御を実施することもできる。
【００９６】
また、デマンドレスポンス制御を実施する際に、室外機３２の動作を停止させるが室内機３１の送風ファンは動作させるといったこともできる。また、これらのデマンドレスポンス制御の組み合わせを異ならせて段階的にデマンドレスポンス制御を実施することもできる。
【００９７】
（７）上記各実施形態では、本発明を、室内機３１と室外機３２の間が冷媒配管３３を介して接続されており、室内機３１からリビング、和室、寝室、子供部屋等の各部屋に温度調整された空気を搬送する所謂全館空調システムに適用した例を示した。これに対し、本発明を、１つの部屋に設けられた室内機３１からこの部屋に温度調整された空気を送風する空調システムに適用することもできる。
【００９８】
（８）上記各実施形態では、Ｓ１２０にて、空調装置３の設定温度を３０℃に設定するか、あるいは２９℃に設定するかを提示したが、１つの設定条件を提示するようにしてもよく、２つ以上の設定条件を提示するようにしてもよい。
【００９９】
（９）上記第２実施形態では、Ｓ１０２にて、目標電力削減量分の電力削減を達成するための空調装置３の設定条件を特定するようにした。これに対し、空調装置の設定条件が記憶部２３に記憶された快適空調条件範囲内となるように、目標電力削減量分の電力削減を達成するための空調装置３の設定条件を特定するようにしてもよい。
【０１００】
（１０）上記第２実施形態では、Ｓ１０３において、Ｓ１０２にて特定された設定条件が記憶部２３に記憶された快適空調条件範囲内であるか否かを判定した。さらに、Ｓ１０４、Ｓ１０５において、図３に示したような空調装置３の設定温度のスケジュール、インセンティブを獲得可能である旨とともにＳ１０３の判定結果をユーザに報知するようにした。
【０１０１】
これに対し、Ｓ１０３において、Ｓ１０２にて特定された設定条件が記憶部２３に記憶された快適空調条件範囲外であると判定された場合に、Ｓ１０２にて特定された設定条件で設備機器の制御を行うか、あるいは設備機器の設定条件を変更するかをユーザに確認し、ユーザの応答に従って設備機器の制御を行うようにしてもよい。
【０１０２】
（１１）上記各実施形態では、Ｓ１０２にて特定した設定条件に従って設備機器をデマンドレスポンス制御するようにした。これに対し、ユーザがより省エネ指向でる場合を考慮して、デマンドレスポンス制御の途中のタイミングで「より省エネにしますか？」といった表示を行ってユーザの意志を確認し、ユーザ操作に応じて設備機器の設定条件を変更するようにしてもよい。これにより、目標電力削減量を上回る電力量を削減することが可能となり、より多くのインセンティブを獲得することも可能となる。
【０１０３】
（１２）上記各実施形態では、Ｓ１０２にて空調装置３の消費電力が低減するよう空調装置３の設定温度を変更するようデマンドレスポンス制御のスケジュールを作成し、このスケジュールに従ってデマンドレスポンス制御を実施するようにした。これに対し、デマンドレスポンス制御の開始時に、空調装置３の動作を停止させ、目標電力削減量を上回る電力量が削減された後に、空調装置３の動作を再開させるようにしてもよい。この場合、例えば、目標電力削減量を上回る電力量が削減され、かつ、空調装置３を所定の設定条件で制御しても目標電力削減量の削減が可能となると判定されたタイミングで、「目標電力削減量の削減が可能となったため、空調装置３の動作を開始しますか？」といった報知をユーザに行うことができる。また、この場合、空調装置３の動作を再開させた後に空調装置３で消費される電力量が、目標電力削減量を上回らないようユーザに周期的に報知するのが好ましい。
【０１０４】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１０５】
（まとめ）
上記各実施形態の一部または全部で示された第１の観点によれば、機器制御装置１は、電力削減要求の受信に応答して設備機器が所定期間内に所定の目標電力削減量を削減したときに得られるインセンティブを獲得できるよう設備機器を制御する。また、電力削減要求を受信した場合、所定期間内に所定の目標電力削減量分の電力削減を達成するための設備機器の設定条件を特定する設定条件特定部を備えている。また、設定条件特定部により特定された設定条件にしたがって所定期間内に所定の目標電力削減量分の電力削減を達成するよう設備機器をデマンドレスポンス制御する機器制御部を備えている。また、機器制御部によるデマンドレスポンス制御の途中で設備機器の設定条件を変更する必要が生じたか否かを判定する設定条件判定部を備えている。また、設定条件判定部により設備機器の設定条件を変更する必要が生じたと判定された場合、設備機器の設定条件を変更する必要が生じた旨をユーザに報知するとともに、１または複数の設備機器の設定条件をユーザに提示する設定条件提示部を備えている。そして、機器制御部は、設備機器の設定条件を、設定条件提示部により提示された１または複数の設備機器の設定条件の中からユーザによって選択された設定条件に再設定して設備機器をデマンドレスポンス制御する。
【０１０６】
また、第２の観点によれば、機器制御装置１は、設備機器の設定条件を選択するための操作部と、設備機器の設定条件をユーザに報知する報知部を、を備えている。したがって、ユーザは操作部を操作して設備機器の設定条件の変更を行うことができるとともに報知部により設備機器の設定条件を認識することができる。
【０１０７】
また、第３の観点によれば、機器制御装置１は、設備機器の消費電力が減少する側に設備機器の設定条件が変更された場合、変更された設備機器の設定条件で設備機器をデマンドレスポンス制御した場合に獲得できるインセンティブを推定するインセンティブ推定部を備えている。さらに、機器制御部により、設備機器の設定条件がユーザによって選択された設定条件に再設定される前に、インセンティブ推定部により推定されたインセンティブをユーザに報知する第１インセンティブ報知部を備えている。
【０１０８】
したがって、設備機器の消費電力が減少する側に設備機器の設定条件が変更された場合、設備機器の設定条件がユーザによって選択された設定条件に再設定される前に、ユーザはインセンティブ推定部により推定されたインセンティブを認識することができる。
【０１０９】
また、第４の観点によれば、機器制御装置１は、設備機器の消費電力が増加する側に設備機器の設定条件が変更された場合、変更された設備機器の設定条件で設備機器をデマンドレスポンス制御した場合に獲得できるインセンティブを推定する第２インセンティブ推定部を備えている。また、機器制御部により、設備機器の設定条件がユーザによって選択された設定条件に再設定される前に、第２インセンティブ推定部により推定されたインセンティブをユーザに報知する第２インセンティブ報知部を備えている。
【０１１０】
したがって、設備機器の消費電力が増加する側に設備機器の設定条件が変更された場合、設備機器の設定条件がユーザによって選択された設定条件に再設定される前に、ユーザはインセンティブ推定部により推定されたインセンティブを認識することができる。
【０１１１】
また、第５の観点によれば、機器制御装置１は、設定条件特定部により特定された設備機器の設定条件を変更できないようにロックするロック機能が有効であるか否かを判定するロック有効判定部を備えている。また、ロック有効判定部によりロック機能が有効であると判定された場合、設備機器の設定条件の変更を禁止するとともに設備機器の設定条件を変更できない旨をユーザに報知する変更不可報知部を備えている。
【０１１２】
したがって、ロック機能を有効設定にすることで、設備機器の設定条件の変更を禁止することができ、さらに、ユーザはロック機能により設備機器の設定条件を変更できない旨を認識することができる。
【０１１３】
また、第６の観点によれば、機器制御装置１は、機器制御部によるデマンドレスポンス制御が終了した場合、デマンドレスポンス制御により削減した設備機器の電力削減量および獲得されたインセンティブの少なくとも一方をユーザに報知する結果報知部を備えている。
【０１１４】
したがって、機器制御部によるデマンドレスポンス制御が終了した場合、ユーザは、デマンドレスポンス制御により削減した設備機器の電力削減量および獲得されたインセンティブの少なくとも一方を認識することができる。
【０１１５】
また、第７の観点によれば、機器制御装置１は、機器制御部によるデマンドレスポンス制御の途中で、獲得できるインセンティブに変更が生じたか否かを判定する変更判定部を備えている。また、変更判定部により機器制御部によるデマンドレスポンス制御の途中で、獲得できるインセンティブに変更が生じたと判定された場合、獲得できるインセンティブに変更が生じた旨を報知する変更報知部と、を備えている。
【０１１６】
したがって、機器制御部によるデマンドレスポンス制御の途中で、獲得できるインセンティブに変更が生じた場合、ユーザは、獲得できるインセンティブに変更が生じた旨を認識することができる。
【０１１７】
また、第８の観点によれば、設定条件提示部は、変更判定部により機器制御部によるデマンドレスポンス制御の途中で、獲得できるインセンティブに変更が生じたと判定された場合、１または複数の設備機器の設定条件をユーザに提示する。
【０１１８】
したがって、機器制御部によるデマンドレスポンス制御の途中で、獲得できるインセンティブに変更が生じた場合、ユーザは１または複数の設備機器の設定条件の中から希望する設定条件を選択することができる。
【０１１９】
また、第９の観点によれば、機器制御部は、変更判定部により機器制御部によるデマンドレスポンス制御の途中で、獲得できるインセンティブに変更が生じたと判定された場合、設備機器の設定条件を、設定条件提示部により提示された１または複数の設備機器の設定条件の中からユーザによって選択された設定条件に再設定して設備機器をデマンドレスポンス制御する。
【０１２０】
したがって、機器制御部によるデマンドレスポンス制御の途中で、獲得できるインセンティブに変更が生じた場合、空調装置の設定条件を、設定条件提示部により提示された１または複数の空調装置の設定条件の中からユーザによって選択された設定条件に再設定して空調装置をデマンドレスポンス制御することができる。
【０１２１】
また、第１０の観点によれば、設備機器は、設定された空調条件となるよう温度調整された空気を送風する空調装置である。また、ユーザの快適性の許容範囲である快適空調条件範囲を記憶する記憶部を備えている。さらに、設定条件特定部により特定された設定条件が前記記憶部に記憶された前記快適空調条件範囲内であるか否かを判定する快適判定部と、前記快適判定部の判定結果をユーザに報知する快適報知部を備えている。
【０１２２】
したがって、ユーザは、特定された設定条件が快適空調条件範囲内であるか否かを容易に認識することができる。
【０１２３】
なお、上記実施形態における構成と特許請求の範囲の構成との対応関係について説明すると、Ｓ１０２、Ｓ１２９、Ｓ１３３の処理が設定条件特定部に相当し、Ｓ１０６の処理が機器制御部に相当し、Ｓ１０８の処理が設定条件判定部に相当する。また、Ｓ１２０の処理が設定条件提示部に相当し、Ｓ１３０の処理がインセンティブ推定部に相当し、Ｓ１３２に処理が第１インセンティブ報知部に相当し、Ｓ１２６の処理が第２インセンティブ推定部に相当する。また、Ｓ１１８の処理がロック有効判定部に相当し、Ｓ１３６の処理が変更不可報知部に相当し、Ｓ１３８の処理が結果報知部に相当し、Ｓ１１２の処理が変更判定部に相当し、Ｓ１３４の処理が変更報知部に相当し、Ｓ１０３が快適判定部に相当し、Ｓ１０４が快適報知部に相当する。
【符号の説明】
【０１２４】
１    機器制御装置
３    空調装置
１０  リモコン
１１  操作部
１２  報知部
２０  制御装置
３１  室外機
３２  室内機
【図１】
2019105984.tif 000003
【図２】
2019105984.tif 000004
【図３】
2019105984.tif 000005
【図４】
2019105984.tif 000006
【図５】
2019105984.tif 000007
【図６】
2019105984.tif 000008
【図７】
2019105984.tif 000009
【図８】
2019105984.tif 000010